(57)【要約】      （修正有）【課題】対象物を引っ掛けることができるという実用的な利便性を満たすものでありながら、ユーザの遊び心も満足させ得ることが可能な壁掛けフックを提供する。【解決手段】壁面Ｗへの被取付部１１を有するベース１と、ベース１に対して傾動可能な傾動体２と、ベース１及び傾動体２を相互に接続する枢支軸３と、傾動体２をベース１に対して枢支軸３を中心に所定方向に付勢するバネとを備え、傾動体２は、ベース１との間に壁面Ｗから離間する方向であって且つ上方に開放された谷状の有底開放部４を形成する開き位置（Ｏ）と、ベース１との間に有底開放部４を形成しない閉じ位置との間で傾動可能なものであり、傾動体２が開き位置（Ｏ）にある状態で傾動体２とベース１との間にできる有底開放部４に対象物を引っ掛けて保持可能に構成した。【選択図】図２
0003220943.tif 000002
【実用新案登録請求の範囲】
【請求項１】
壁面への被取付部を有するベースと、
前記ベースに対して傾動可能な傾動体と、
前記ベース及び前記傾動体を相互に接続する枢支軸と、
前記傾動体を前記ベースに対して前記枢支軸を中心に所定方向に付勢するバネとを備え、
前記傾動体は、前記ベースとの間に前記壁面から離間する方向であって且つ上方に開放された谷状の有底開放部を形成する開き位置と、前記ベースとの間に前記有底開放部を形成しない閉じ位置との間で傾動可能なものであり、
前記傾動体が前記開き位置にある状態で前記有底開放部に対象物を引っ掛けて保持可能に構成していることを特徴とする壁掛けフック。
【請求項２】
前記枢支軸を当該壁掛フックの下端部近傍に配置している請求項１に記載の壁掛けフック。
【請求項３】
前記枢支軸を当該壁掛けフックの略中間高さ位置に配置している請求項１に記載の壁掛けフック。
【請求項４】
前記ベース及び前記傾動体が、他の物品を模した形状である請求項１乃至３の何れかに記載の壁掛けフック。
【請求項５】
前記傾動体を前記開き位置に位置付けた状態において、前記傾動体の下端部または下端部近傍に設定した挟持部が、前記ベースの下端部または下端部近傍に設定した挟持部に当接し、これら挟持部同士の間に第２の対象物を挟持可能に構成している請求項１乃至４の何れかに記載の壁掛けフック。
【考案の詳細な説明】
【技術分野】
【０００１】
本考案は、壁面に取り付けた状態で利用可能な壁掛けフックに関するものである。
【背景技術】
【０００２】
従来より、壁面に取り付けた状態でフック部に引っ掛けた引っ掛け対象物を保持可能な壁掛けフックが知られている。このような壁掛けフックは、壁面に接触した状態で取り付けられるベースと、ベースに対して壁面から離間する方向に突出するフック部とを備え、フック部に引っ掛け対象物を引っ掛けた状態にあるか否かを問わずフック部の位置や姿勢は常に一定であることが殆どである（例えば特許文献１）。
【先行技術文献】
【特許文献】
【０００３】
【特許文献１】特開２０１４−２２１１１５号公報
【考案の概要】
【考案が解決しようとする課題】
【０００４】
このような従来の壁掛けフックは、実用的な利便性を満たすものの、無機質なデザインであり、室内装飾やデザイン性、あるいは使うことの楽しみを増やす（遊び心を満足させる）といった面での考慮が十分とは言えないものである。
【０００５】
本考案は、このような点に着目してなされたものであって、主たる目的は、対象物を引っ掛けることができるという実用的な利便性を満たすものでありながら、ユーザの遊び心も満足させ得ることが可能な壁掛けフックを提供することにある。
【課題を解決するための手段】
【０００６】
すなわち、本考案に係る壁掛けフックは、壁面への被取付部を有するベースと、ベースに対して傾動可能な傾動体と、ベース及び傾動体を相互に接続する枢支軸と、傾動体をベースに対して枢支軸を中心に所定方向に付勢するバネとを備え、傾動体が、ベースとの間に壁面から離間する方向であって且つ上方に開放された谷状の有底開放部を形成する開き位置と、ベースとの間に有底開放部を形成しない閉じ位置との間で傾動可能なものであり、有底開放部に対象物を引っ掛けて保持可能に構成していることを特徴としている。
【０００７】
このような壁掛けフックであれば、傾動体を開き位置に位置付けた状態で有底開放部に対象物を引っ掛けて保持することができるため、実用的な利便性が高く、さらに、傾動体が開き位置と閉じ位置との間で傾動する仕掛けや、バネの付勢力によって傾動体が開き位置から閉じ位置に向かって、または閉じ位置から開き位置に向かって自動復帰する仕組みを設けたことによって、ユーザの遊び心も満足させ得ることが可能である。
【０００８】
本考案に係る壁掛けフックとしては、ベースと傾動体との接続パーツである枢支軸を当該壁掛フックの下端部近傍に配置した態様（前者の態様）や、枢支軸を当該壁掛けフックの略中間高さ位置に配置した態様（後者の態様）を挙げることができる。前者の態様であれば、後者の態様と比較して、傾動体を開き位置に位置付けた状態における有底開放部を相対的に広く大きく取ることができ、対象物を引っ掛けやすいという利点がある。また、後者の態様であれば、傾動体の下端部がベースの下端部に当接した状態を開き位置に設定することができ、傾動体を開き位置に安定した状態で維持することが可能であり、この場合、バネの付勢力が傾動体を閉じ位置から開き位置に移動させる付勢力であれば、傾動体を開き位置により一層安定した状態で維持することができる。
【０００９】
本考案において、ベース及び傾動体が、他の物品を模した形状であれば、壁掛けフック全体のデザイン性の向上を図ることができる。例えば、壁掛けフックが握り鮨を模した形状となるように、ベースを米飯に模した形状にし、傾動体を卵焼きや刺身等のネタに模した形状にした態様や、壁掛けフックが洗濯ばさみを模した形状となるように、ベース及び傾動体を２個１組（一対）の留め具に模した形状にした態様を挙げることができる。もちろん、これらの形態に限定されず、動物や乗物等を模した形態であってもよい。
【００１０】
本考案に壁掛けフックの多機能化を実現するには、傾動体を開き位置に位置付けた状態において、傾動体の下端部または下端部近傍に設定した挟持部が、ベースの下端部または下端部近傍に設定した挟持部に当接し、これら挟持部同士の間に第２の対象物を挟持可能に構成すればよい。
【考案の効果】
【００１１】
本考案によれば、傾動体が開き位置と閉じ位置との間で傾動したり、バネで傾動体が開き位置または閉じ位置の何れかの位置に自動復帰する仕掛けによって、ユーザに遊び心を感じさせることができ、フックとしての実用性のみならず、ギミック性も兼ね備えた壁掛けフックを提供することができる。
【図面の簡単な説明】
【００１２】
【図１】本考案の第１実施形態に係る閉じ状態の壁掛けフックの全体外観図及び側面図。
【図２】同実施形態に係る開き状態の壁掛けフックの全体外観図及び側面図。
【図３】同実施形態に係る開き状態の壁掛けフックの背面図及び側断面図。
【図４】本考案の第２実施形態に係る閉じ状態の壁掛けフックの全体外観図及び側面図。
【図５】同実施形態に係る開き状態の壁掛けフックの全体外観図及び側面図。
【図６】同実施形態に係る開き状態の壁掛けフックの背面図及び側断面図。
【図７】同実施形態に係る開き状態の壁掛けフックの要部拡大図。
【図８】本考案の第３実施形態に係る開き状態の壁掛けフックの全体外観図。
【図９】同実施形態に係る開き状態の壁掛けフックの側面図及び背面図。
【図１０】同実施形態に係る開き状態の壁掛けフックの側断面図及び閉じ状態の壁掛けフックの側面図。
【考案を実施するための形態】
【００１３】
以下、本考案の一実施形態（第１実施形態）を、図面を参照して説明する。
【００１４】
第１実施形態に係る壁掛けフックＸは、図１等に示すように、壁面Ｗへの被取付部１１を有するベース１と、ベース１に対して傾動可能な傾動体２と、ベース１及び傾動体２を相互に接続する枢支軸３とを備え、傾動体２を図１に示す閉じ位置（Ｃ）と、図２に示す開き位置（Ｏ）との間で傾動可能なものである。ここで、図１（ａ）、（ｂ）は傾動体２が閉じ位置（Ｃ）にある壁掛けフックＸ（閉じ状態の壁掛けフックＸ）を相互に異なる方向から見た全体外観図であり、同図（ｃ）は閉じ状態の壁掛けフックＸの側面図である。また、図２（ａ）は傾動体２が開き位置（Ｏ）にある壁掛けフックＸ（開き状態の壁掛けフックＸ）の全体外観図であり、同図（ｂ）は開き状態の壁掛けフックＸの側面図であり、図３（ａ）は開き状態の壁掛けフックＸの背面図であり、同図（ｂ）は同図（ａ）のｄ１−ｄ１線断面図である。
【００１５】
以下の説明では、壁面Ｗ側を後方とし、その反対方向を前方とする。したがって、壁掛けフックＸは、相対的に後方側（背面側）に配置されるベース１と、相対的に前方側（前面側）に配置される傾動体２とを備えたものである。
【００１６】
ベース１は、前後方向に所定の厚みを有する縦長の直方体状をなし、後方に突出する複数のピンＰ１によって構成した被取付部１１を有する。本実施形態では、ベース１のうち使用状態において壁面Ｗに接触する背面１Ｂ（後向き面）に被取付部１１である留め具Ｐを設けている。留め具Ｐは、先端がそれぞれ異方向を向く複数本（図示例では３本）のピンＰ１を備えたものである。本実施形態では、各ピンＰ１の基端部を共通の頭部Ｐ２に固定した留め具Ｐを適用し（図３（ａ）参照）、留め具Ｐのうち頭部Ｐ２をベース１の内部に収容し、ピンＰ１のみをベース１の背面１Ｂよりも後方に突出させている（図１（ｂ）参照）。また、本実施形態のベース１は、被取付部１１として、留め具Ｐとは別に、水平方向に配置した釘Ｋも有し、留め具ＰのピンＰ１及び釘Ｋを壁面Ｗに差し込むことで、壁掛けフックＸを例えば石膏ボード等の壁面Ｗに脱落不能に固定することができる。
【００１７】
傾動体２は、起立姿勢における高さ寸法をベース１よりも大きく設定した縦長のプレート状をなし、下端部に他の部分よりも後方に突出する接続片２１を有する。本実施形態では、傾動体２の前向き面２Ｆ及び後向き面２Ｂをフラットな面に設定し、接続片２１を後向き面２Ｂの下端部における左右両サイド近傍に設けている（図２（ａ）参照）。ベース１の前向き面１Ｆには、接続片２１の挿入を許容する開口部１２が形成され、開口部１２に挿入した傾動体２の接続片２１を、ベース１の下端部において当該ベース１を幅方向に貫通する水平姿勢で配置した枢支軸３に一体回転可能に固定している。
【００１８】
本実施形態では、図１に示すように、傾動体２が起立姿勢となって当該傾動体２の後向き面２Ｂ及びベース１の前向き面１Ｆが相互に接触した状態で対向する閉じ位置（Ｃ）と、図２に示すように、傾動体２がベース１に対して枢支軸３回りに所定角度傾斜した姿勢となって当該傾動体２とベース１との間に谷状の有底開放部４を形成する開き位置（Ｏ）との間で傾動体２を傾動可能に構成している。傾動体２を開き位置（Ｏ）に位置付けた状態で傾動体２とベース１との間に形成される谷状の有底開放部４は、ベース１を取り付けた壁面Ｗから離間する方向であって且つ上方に開放された領域である。本実施形態では、傾動体２を閉じ位置（Ｃ）に位置付けた場合に、傾動体２の後向き面２Ｂがベース１の前向き面１Ｆに当接し、傾動体２とベース１との間に有底開放部４が形成されないように設定している。
【００１９】
本実施形態の壁掛けフックＸは、傾動体２をベース１に対して枢支軸３を中心に開き位置（Ｏ）から閉じ位置（Ｃ）に向かう方向に付勢するバネ（図示省略）を備えている。したがって、本実施形態の壁掛けフックＸは、傾動体２に対して外力が作用していない状態であれば傾動体２が常に閉じ位置（Ｃ）に維持される。そして、本実施形態の壁掛けフックＸは、バネの付勢力に抗して傾動体２を閉じ位置（Ｃ）から開き位置（Ｏ）に向かって傾動させることで、傾動体２とベース１との間に有底開放部４を形成することができる。なお、本実施形態におけるバネは、外部から視認不能または困難な適宜の箇所に設けられている。
【００２０】
本実施形態の壁掛けフックＸは、図３（ｂ）に示すように、傾動体２を開き位置（Ｏ）にロックするためのロック手段Ｌを備えている。本実施形態のロック手段Ｌは、傾動体２のうち接続片２１の所定箇所に設けた溝Ｌ１と、ベース１のうち枢支軸３が配置される所定位置の近傍に設けた突起Ｌ２とを備え、傾動体２を閉じ位置（Ｃ）から開き位置（Ｏ）に向かって傾動させる過程で溝Ｌ１に突起Ｌ２が入り込むことで、傾動体２を開き位置（Ｏ）に固定するものである。また、本実施形態に係る壁掛けフックＸでは、閉じ位置（Ｃ）にある傾動体２を開き位置（Ｏ）まで傾動させると、傾動体２のうち接続片２１の一部が、ベース１に形成した開口部１２の開口縁１２１に当たることによって、傾動体２のそれ以上同一方向へ移動することを規制し、有底開放部４が開き過ぎた空間とならないように設定している。
【００２１】
そして、本実施形態に係る壁掛けフックＸは、有底開放部４を利用して適宜の対象物（図示省略）を引っ掛けて保持することができる。なお、本実施形態に係る壁掛けフックＸでは、ロック手段Ｌによって開き位置（Ｏ）に固定された傾動体２に対して閉じ位置（Ｃ）へ戻す外力（ユーザによる操作力）を付与することで、ロック手段Ｌによるロック状態（溝Ｌ１が突起Ｌ２に入り込んでいる状態）が解除され、バネの付勢力によって傾動体２が開き位置（Ｏ）から閉じ位置（Ｃ）に向かって自動復帰するように設定している。
【００２２】
さらに、本実施形態に係る壁掛けフックＸは、ベース１を握り鮨の米飯に模した形態にするとともに、傾動体２を握り鮨のネタ（例えば卵焼き）に模した形態にし、フック全体として握り鮨となる形態を有する。
【００２３】
このように、本実施形態に係る壁掛けフックＸによれば、傾動体２を開き位置（Ｏ）に位置付けた状態で有底開放部４を利用して対象物を引っ掛けて保持することができ、実用的な利便性が高く、さらに、傾動体２が開き位置（Ｏ）と閉じ位置（Ｃ）との間で傾動したり、バネの付勢力によって傾動体２が開き位置（Ｏ）から閉じ位置（Ｃ）に向かって自動復帰する仕掛けを有することによって、ユーザの遊び心も満足させ得ることが可能である。
【００２４】
特に、本実施形態に係る壁掛けフックＸは、ベース１と傾動体２との接続パーツである枢支軸３を当該壁掛けフックＸの下端部近傍に配置しているため、傾動体２を開き位置（Ｏ）に位置付けた状態における有底開放部４を相対的に広く大きく取ることができ、対象物を引っ掛けやすく、使い勝手に優れる。
【００２５】
加えて、本実施形態に係る壁掛けフックＸは、全体として握り鮨を模した形状であり、壁掛けフックＸ全体のデザイン性の向上を図ることができる。特に、鮨ネタの種類に応じて傾動体２の形態を異ならせた複数種類の壁掛けフックＸ（シリーズ化商品としての壁掛けフックＸ）であれば、種類の異なる壁掛けフックＸを集めたり、好みに応じて飾りたいというユーザの購入意欲を促進させることも期待できる。
【００２６】
次に、本発明の第２実施形態に係る壁掛けフックＸについて説明する。
【００２７】
本実施形態に係る壁掛けフックＸは、図４乃至図７に示すように、壁面Ｗへの被取付部１１を有するベース１と、ベース１に対して傾動可能な傾動体２と、ベース１及び傾動体２を相互に接続する枢支軸３と、傾動体２をベース１に対して枢支軸３を中心に所定方向に付勢するバネ５とを備えたものである。図４（ａ）は傾動体２が閉じ位置（Ｃ）にある壁掛けフックＸ（閉じ状態の壁掛けフックＸ）の全体外観図であり、同図（ｂ）は閉じ状態の壁掛けフックＸの側面図である。また、図５（ａ）は傾動体２が開き位置（Ｏ）にある壁掛けフックＸ（開き状態の壁掛けフックＸ）の全体外観図であり、同図（ｂ）は開き状態の壁掛けフックＸの側面図であり、図６（ａ）は開き状態の壁掛けフックＸの背面図であり、同図（ｂ）は同図（ａ）のｄ２−ｄ２線断面図である。図７（ａ）、（ｂ）はそれぞれ図５（ｂ）のＥ１領域、図６（ｂ）のＥ２領域の各拡大図である。
【００２８】
ベース１は、前後方向に所定の厚みを有する縦長の直方体状をなし、後方に突出する複数のピンＰ１等によって構成した被取付部１１を有する。被取付部１１は、第１実施形態と同様に、留め具Ｐと釘Ｋによって構成されている。
【００２９】
傾動体２は、閉じ位置（Ｃ）に位置付けた姿勢（起立姿勢）における高さ寸法がベース１と略同一のプレート状をなし、下端部近傍に他の部分よりも後方に突出する接続片２１を有する。本実施形態では、傾動体２の前向き面２Ｆ及び後向き面２Ｂをフラットな面に設定し、接続片２１を後向き面２Ｂの下端部における左右両サイド近傍に設け、ベース１の前向き面１Ｆに形成した開口部１２に挿入した傾動体２の接続片２１を、ベース１の下端部において当該ベース１を幅方向に貫通する姿勢で配置した枢支軸３に一体回転可能に固定している。
【００３０】
本実施形態では、図４に示す閉じ位置（Ｃ）と、図５及び図６に示す開き位置（Ｏ）との間で傾動体２を傾動可能に構成し、傾動体２を開き位置（Ｏ）に位置付けた状態で当該傾動体２とベース１との間に谷状の有底開放部４が形成され、傾動体２を閉じ位置（Ｃ）に位置付けた場合に、傾動体２の後向き面２Ｂがベース１の前向き面１Ｆに当接し、有底開放部４が形成されないように設定している。
【００３１】
本実施形態の壁掛けフックＸは、傾動体２をベース１に対して枢支軸３を中心に開き位置（Ｏ）から閉じ位置（Ｃ）に向かう方向に付勢するバネ５を備え、傾動体２が開き位置（Ｏ）にロックされていない状態であれば傾動体２は閉じ位置（Ｃ）に維持され、バネ５の付勢力に抗して傾動体２を閉じ位置（Ｃ）から開き位置（Ｏ）に向かって傾動させることで、傾動体２とベース１との間に谷状の有底開放部４を形成することができる。
【００３２】
第２実施形態に係る壁掛けフックＸは、傾動体２を開き位置（Ｏ）にロックするためのロック手段Ｌを備えている。本実施形態のロック手段Ｌは、図６（ｂ）及び図７（ａ）に示すように、傾動体２のうち接続片２１の所定箇所に設けた突起Ｌ２と、ベース１のうち枢支軸３が配置される所定位置の近傍に設けた溝Ｌ１とを備え、傾動体２を閉じ位置（Ｃ）から開き位置（Ｏ）に向かって傾動させる過程で、突起Ｌ２が溝Ｌ１に係合すること（スナップフィット固定）で、傾動体２を開き位置（Ｏ）に固定するものである。また、図５（ｂ）及び図７（ｂ）に示すように、本実施形態に係る壁掛けフックＸでは、閉じ位置（Ｃ）にある傾動体２を開き位置（Ｏ）まで傾動させると、傾動体２のうち接続片２１よりも下方の領域に設定した傾斜面２３が、ベース１のうち下端部近傍に設けた傾斜面２３に当接することによって、傾動体２のそれ以上同一方向へ移動することを規制し、有底開放部４が開き過ぎた空間とならないように設定している。
【００３３】
そして、本実施形態に係る壁掛けフックＸは、有底開放部４を利用して対象物を引っ掛けて保持することができ、ロック手段Ｌによって開き位置（Ｏ）に固定された傾動体２に対して閉じ位置（Ｃ）へ戻す外力（ユーザによる操作力）を付与することで、ロック手段Ｌによるロック状態（溝Ｌ１が突起Ｌ２に係合している状態）が解除され、バネ５の付勢力によって傾動体２が開き位置（Ｏ）から閉じ位置（Ｃ）に向かって自動復帰するように設定している。
【００３４】
このような第２実施形態に係る壁掛けフックＸは、フックとしての実用性のみならず、傾動体２の開閉動作や傾動体２の自動復帰動作といったギミック性も兼ね備え、第１実施形態の壁掛けフックＸと略同様の作用効果を奏する。
【００３５】
次に、本発明の第３実施形態に係る壁掛けフックＸについて説明する。
【００３６】
本実施形態に係る壁掛けフックＸは、図８乃至図１０に示すように、全体として洗濯バサミを模した形状をなし、枢支軸３を介して相互に接続された一対の挟持片６１,６２のうち一方（第１挟持片６１）が壁面Ｗへの被取付部１１を有する本発明のベース１であり、他方の挟持片（第２挟持片６２）がベース１に対して傾動可能な本発明の傾動体２である。本実施形態に係る壁掛けフックＸは、傾動体２を閉じ位置（Ｃ）から開き位置（Ｏ）に向かう方向に付勢するバネ５を備えている。図８（ａ）、（ｂ）は傾動体２が開き位置（Ｏ）にある壁掛けフックＸ（開き状態の壁掛けフックＸ）をそれぞれ異なる方向から見た全体外観図であり、図９（ａ）、（ｂ）はそれぞれ開き状態の壁掛けフックＸの側面図、背面図である。また、図１０（ａ）は図９（ｂ）のｄ３−ｄ３線断面図であり、図１０（ｂ）は傾動体２が閉じ位置（Ｃ）にある壁掛けフックＸ（閉じ状態の壁掛けフックＸ）の側面図である。
【００３７】
本実施形態におけるベース１の被取付部１１は、第１実施形態で述べた留め具Ｐを高さ方向に２つ並べて構成したものである。
【００３８】
傾動体２は、中間高さ位置近傍に設けた接続片２１を、ベース１に形成した開口部１２に挿入した状態で、ベース１の中間高さ位置近傍において当該ベース１を幅方向に貫通する姿勢で配置した枢支軸３に一体回転可能に固定している。
【００３９】
本実施形態では、図８、図９及び図１０（ａ）に示す開き位置（Ｏ）と、図１０（ｂ）に示す閉じ位置（Ｃ）との間で傾動体２を傾動可能に構成し、傾動体２を開き位置（Ｏ）に位置付けた状態で当該傾動体２とベース１との間に上方且つ前方（壁面Ｗから離間する方向）に開放された谷状のスペースである有底開放部４が形成され、傾動体２を閉じ位置（Ｃ）に位置付けると当該傾動体２とベース１との間に上方且つ後方（壁面Ｗに近付く方向）に開放された谷状のスペースが形成される。ここで、本発明における有底開放部４は、上方且つ壁面Ｗから離間する方向に開放された空間であるため、傾動体２を閉じ位置（Ｃ）に位置付けた状態で傾動体２とベース１との間に上方且つ壁面Ｗに近付く方向に開放される谷状のスペースは本発明の「有底開放部」に該当しない。つまり、傾動板２のうち枢支軸３よりも上方の部位が壁面Ｗから離間する方向に傾斜している姿勢であれば、当該姿勢の傾動板２とベース１の間に本発明の「有底開放部４」が形成される一方、傾動板２のうち枢支軸３よりも上方の部位が壁面Ｗに近付く方向に傾斜している姿勢であれば、当該姿勢の傾動板２とベース１の間に本発明の「有底開放部４」は形成されないと捉えることができる。
【００４０】
本実施形態の壁掛けフックＸは、傾動体２に外力が作用していない状態であればバネ５の付勢力によって傾動体２を開き位置（Ｏ）に維持し、バネ５の付勢力に抗して傾動体２を開き位置（Ｏ）から閉じ位置（Ｃ）に向かって傾動させる操作力を受けることで、傾動体２の上端部が壁面Ｅに近付く方向に傾動体２が枢支軸３回りに回転し、傾動体２とベース１との間の谷状のスペースが縮小する（図１０（ｂ）参照）。
【００４１】
第３実施形態の壁掛けフックＸでは、傾動体２が開き位置（Ｏ）に位置付けた状態において、傾動体２の下端部近傍に設定した挟持部２４が、ベース１の下端部近傍に設定した挟持部１４に当接することによって、傾動体２がそれ以上開く方向に傾動することを規制するとともに、傾動体２の挟持部２４とベース１の挟持部１４との間に第２の対象物として紙等の比較的軽いものを挟持することができる。傾動体２の挟持部２４とベース１の挟持部１４の面を鋸歯状（ギザギザ）に設定することで、これら挟持部同士による挟持機能を高めることができる。
【００４２】
また、本実施形態の壁掛けフックＸでは、傾動体２が開き位置（Ｏ）にある状態において枢支軸３よりも下方の領域であって、且つ傾動体２の挟持部２４とベース１の挟持部１４とが当接している部分よりも上方の両方に、側面視略円形であって且つ前後方向及び上下方向に閉じられた空洞部分７が形成されるように設定している。この空洞部分７は、傾動体２が閉じ位置（Ｃ）にある状態では下方に開放される。
【００４３】
このような構成を有する本実施形態に係る壁掛けフックＸは、有底開放部４を利用して対象物を引っ掛けて保持することができ、開き位置（Ｏ）に固定された傾動体２に対して閉じ位置（Ｃ）へ傾動させる外力（ユーザによる操作力）を付与することで傾動体２の挟持部２４とベース１の挟持部２４との当接状態を解除することができ、さらに、当該ユーザによる操作力（傾動体２に対して閉じ位置（Ｃ）へ傾動させる操作力）を解除すると、バネ５による付勢力によって傾動体２が開き位置（Ｏ）に向かって自動復帰する。
【００４４】
このような第３実施形態に係る壁掛けフックＸは、フックとしての実用性のみならず、傾動体２の開閉動作や傾動体２の開き位置（Ｏ）への自動復帰動作といったギミック性も兼ね備え、第１実施形態の壁掛けフックＸと略同様の作用効果を奏する。
【００４５】
なお、本考案は上述した実施形態に限定されるものではない。例えば、握り鮨や洗濯ばさみ以外の形態、例えば動物や乗物等を模した形態の壁掛けフックＸであってもよい。
【００４６】
壁面は、石膏ボードに限定されず、適宜の素材から形成された壁面であればよく、ベースが有する被取付部も壁面に応じて適宜選択することができる。被取付部として、上述のピンや釘以外に、粘着シート、引っ掛け孔、フック、ネジ等を適用してもよい。
【００４７】
ベースに対する傾動体の傾動角度も適宜変更・選択することができる。傾動板をベースに対して複数の異なる傾斜角度で固定できるように設定しても構わない。傾動板を開き位置または閉じ位置に固定するロック手段の具体的な構成も適宜選択することができる。
【００４８】
その他、各部の具体的構成についても上記実施形態に限られるものではなく、本考案の趣旨を逸脱しない範囲で種々変形が可能である。
【符号の説明】
【００４９】
１…ベース
１１…被取付部
２…傾動体
２４…挟持部
３…枢支軸
３４…挟持部
５…バネ
４…有底開放部
Ｘ…壁掛けフック
Ｗ…壁面
【図１】
0003220943.tif 000003
【図２】
0003220943.tif 000004
【図３】
0003220943.tif 000005
【図４】
0003220943.tif 000006
【図５】
0003220943.tif 000007
【図６】
0003220943.tif 000008
【図７】
0003220943.tif 000009
【図８】
0003220943.tif 000010
【図９】
0003220943.tif 000011
【図１０】
0003220943.tif 000012